(57)【要約】【課題】外部からのノイズの影響を受け難く、かつ接続不良の発生が抑制された同軸コネクタを提供する。【解決手段】同軸コネクタ１００は外部導体１０と中央導体２０と絶縁部材３０とを備えている。外部導体１０はソケット部１１と鍔部１２とを有している。中央導体２０は中央部２１とリード部２２とを有し、ソケット部１１の一方端部の内側に配置されている。絶縁部材３０は中央部２１が挿通された貫通孔３０ａを有し、外部導体１０と中央導体２０とが電気的に絶縁されるようにソケット部１１と中央導体２０との間に配置されている。ソケット部１１の他方端部には第１の回転抑制部１１ａが設けられている。絶縁部材３０には第２の回転抑制部３０ｃが設けられている。第１の回転抑制部１１ａと第２の回転抑制部３０ｃとが当接していることにより、ソケット部１１と絶縁部材３０との間の相対的な回転が抑制されている。【選択図】図１
2018170177.tif 000002
【特許請求の範囲】
【請求項１】
外部導体と、中央導体と、絶縁部材とを備えた同軸コネクタであって、
前記外部導体は、シールド部材である円筒状のソケット部と、前記ソケット部の一方端部から延在している、接地電極である鍔部とを有しており、
前記中央導体は、円柱状または円筒状の中央部と、前記中央部の一方端部から延在している、信号電極であるリード部とを有し、かつ前記ソケット部の中心軸方向から見たときに前記ソケット部の一方端部の内側に配置されており
前記絶縁部材は、前記中央部の他方端部が露出するように前記中央部が挿通された貫通孔を有し、かつ前記外部導体と前記中央導体とが電気的に絶縁されるように前記ソケット部と前記中央導体との間に配置されており、
前記ソケット部の他方端部には、第１の回転抑制部が設けられており、前記絶縁部材には第２の回転抑制部が設けられており、前記第１の回転抑制部と前記第２の回転抑制部とが当接していることにより、前記ソケット部と前記絶縁部材との間の相対的な回転が抑制されていることを特徴とする、同軸コネクタ。
【請求項２】
前記第１の回転抑制部は、前記ソケット部の他方端部の内周面に設けられた平面部であり、前記第２の回転抑制部は、前記絶縁部材が前記ソケット部と前記中央導体との間に配置されたときに、前記絶縁部材の外周面の、前記第１の回転抑制部に当接する位置に設けられた平面部であることを特徴とする、請求項１に記載の同軸コネクタ。
【請求項３】
前記第１の回転抑制部は、前記ソケット部の他方端部の内周面に設けられた凹部であり、前記第２の回転抑制部は、前記絶縁部材が前記ソケット部と前記中央導体との間に配置されたときに、前記絶縁部材の外周面の、前記第１の回転抑制部に当接する位置に設けられた凸部であることを特徴とする、請求項１に記載の同軸コネクタ。
【請求項４】
前記第１の回転抑制部は、前記ソケット部の他方端部の内周面に設けられた凸部であり、前記第２の回転抑制部は、前記絶縁部材が前記ソケット部と前記中央導体との間に配置されたときに、前記絶縁部材の外周面の、前記第１の回転抑制部に当接する位置に設けられた凹部であることを特徴とする、請求項１に記載の同軸コネクタ。
【請求項５】
前記絶縁部材は、前記ソケット部の他方端面の少なくとも一部を被覆する被覆部を有しており、
前記第１の回転抑制部は、前記ソケット部の他方端面に設けられた凹部であり、前記第２の回転抑制部は、前記絶縁部材が前記ソケット部と前記中央導体との間に配置されたときに、前記絶縁部材の被覆部の、前記第１の回転抑制部に当接する位置に設けられた凸部であることを特徴とする、請求項１に記載の同軸コネクタ。
【請求項６】
前記絶縁部材は、前記ソケット部の他方端面の少なくとも一部を被覆する被覆部を有しており、
前記第１の回転抑制部は、前記ソケット部の他方端面に設けられた凸部であり、前記第２の回転抑制部は、前記絶縁部材が前記ソケット部と前記中央導体との間に配置されたときに、前記絶縁部材の被覆部の、前記第１の回転抑制部に当接する位置に設けられた凹部であることを特徴とする、請求項１に記載の同軸コネクタ。
【発明の詳細な説明】
【技術分野】
【０００１】
この発明は、外部導体と、中央導体と、絶縁部材とを有する同軸コネクタに関するものである。
【背景技術】
【０００２】
外部導体と、中央導体と、絶縁部材とを有する同軸コネクタの一例として、特開２０１６−９１６５７号公報（特許文献１）に記載の同軸コネクタが挙げられる。図４（Ａ）は、特許文献１に記載の同軸コネクタ２００の、組み立て前の各構成要素が示された分解斜視図である。同軸コネクタ２００は、不図示の相手側同軸コネクタ（プラグ）が挿抜自在に構成されているレセプタクルであって、外部導体２１０と、中央導体２２０と、絶縁部材２３０とを備えている。
【０００３】
外部導体２１０は、円筒状のソケット部２１１と、鍔部２１２とを備えている。鍔部２１２は、ソケット部２１１の一方端部から延在している。鍔部２１２には、切り欠き２１２ａが設けられている。鍔部２１２は、同軸コネクタ２００が電子機器の回路基板に接続される際には、回路基板上の接地電極に接続される。上記のプラグは、ソケット部２１１の他方端部側から挿抜される。
【０００４】
中央導体２２０は、円柱状の中央部２２１と、中央部２２１の一方端部から延在しているリード部２２２とを備えている。リード部２２２は、同軸コネクタ２００が電子機器の回路基板に接続される際には、回路基板上の信号電極に接続される。すなわち、前述のソケット部２１１は、中央部２２１に対するシールド導体となっている。
【０００５】
絶縁部材２３０は、ソケット部２１１と篏合するように円柱状に形成されている中央部２３１と、中央部２３１の側周面に中央部２３１の中心軸と直交する方向に延在している鍔部２３２とを備えている。中央部２３１は、中心軸を含むように形成された開口２３１ａを有している。また、中央部２３１には、リード部２２２が篏合する溝２３１ｂが設けられている。
【０００６】
図４（Ｂ）は、上記の各構成要素が組み立てられた後の同軸コネクタ２００の斜視図である。図４（Ｂ）に示されている同軸コネクタ２００では、中央部２２１は、他方端部が絶縁部材２３０の表面から突出するように開口２３１ａに挿通されている。また、鍔部２３２は、鍔部２１２に設けられている切り欠き２１２ａに篏合されている。そして、リード部２２２は、前述したように溝２３１ｂに篏合している。それにより、中央導体２２０は、絶縁部材２３０に固定されている。
【先行技術文献】
【特許文献】
【０００７】
【特許文献１】特開２０１６−９１６５７号公報
【発明の概要】
【発明が解決しようとする課題】
【０００８】
同軸コネクタ２００の構造では、中央部２２１の一方端部およびリード部２２２が、ソケット部２１１の外部にある。すなわち、中央導体２２０は、ソケット部２１１により十分シールドされていない。そのため、同軸コネクタ２００は、外部からのノイズの影響を受け易くなっている虞がある。
【０００９】
中央導体２２０がソケット部２１１により十分シールドされるためには、リード部２２２の長さが短くされ、中央導体２２０が全体としてソケット部２１１の内部にあるようにする必要がある。その場合、絶縁部材２３０において、ソケット部２１１とリード部２２２との間を絶縁している鍔部２３２を設ける必要がなくなる。すなわち、開口２３１ａを有する円筒状の絶縁部材２３０が、ソケット部２１１に篏合されることになる。
【００１０】
前述したように、同軸コネクタ２００において、鍔部２３２は、鍔部２１２に設けられている切り欠き２１２ａに篏合されている。すなわち、鍔部２３２は、外部導体２１０に対して絶縁部材２３０を固定する機能を有している。そのため、鍔部２３２のない円筒状の絶縁部材２３０がソケット部２１１に篏合された場合、そのような絶縁部材２３０は、ソケット部２１１の内部で回転してしまう虞がある。
【００１１】
中央導体２２０は、絶縁部材２３０に固定されているため、絶縁部材２３０が回転した場合、中央導体２２０も一緒に回転することになる。その結果、リード部２２２の位置が本来の位置よりずれてしまう。延いては、同軸コネクタ２００が電子機器の回路基板に接続される際に、接続不良が発生する虞がある。
【００１２】
すなわち、この発明の目的は、外部からのノイズの影響を受け難く、かつ電子機器の回路基板への接続時に、接続不良の発生が抑制された同軸コネクタを提供することである。
【課題を解決するための手段】
【００１３】
この発明に係る同軸コネクタでは、外部導体、中央導体および絶縁部材の構造についての改良が図られる。
【００１４】
この発明に係る同軸コネクタは、外部導体と、中央導体と、絶縁部材とを備えている。外部導体は、シールド部材である円筒状のソケット部と、ソケット部の一方端部から延在している、接地電極である鍔部とを有している。中央導体は、円柱状または円筒状の中央部と、中央部の一方端部から延在している、信号電極であるリード部とを有している。また、中央導体は、ソケット部の中心軸方向から見たときにソケット部の一方端部の内側に配置されている。
【００１５】
絶縁部材は、中央部の他方端部が露出するように中央部が挿通された貫通孔を有している。また、絶縁部材は、外部導体と中央導体とが電気的に絶縁されるようにソケット部と中央導体との間に配置されている。
【００１６】
ソケット部の他方端部には、第１の回転抑制部が設けられている。絶縁部材には第２の回転抑制部が設けられている。そして、第１の回転抑制部と第２の回転抑制部とが当接していることにより、ソケット部と絶縁部材との間の相対的な回転が抑制されている。
【００１７】
上記の同軸コネクタでは、中央導体がソケット部の中心軸方向から見たときにソケット部の一方端部の内側に配置されている。そのため、中央導体がソケット部により十分シールドされている。したがって、上記の同軸コネクタは、外部からのノイズの影響を受け難い。
【００１８】
また、上記の同軸コネクタでは、第１の回転抑制部と第２の回転抑制部とにより、ソケット部と絶縁部材との間の相対的な回転が抑制されている。したがって、上記の同軸コネクタでは、電子機器の回路基板への接続時における接続不良の発生が抑制されている。
【００１９】
この発明に係る同軸コネクタは、以下の特徴を備えることが好ましい。すなわち、第１の回転抑制部は、ソケット部の他方端部の内周面に設けられた平面部である。第２の回転抑制部は、絶縁部材がソケット部と中央導体との間に配置されたときに、絶縁部材の外周面の、第１の回転抑制部に当接する位置に設けられた平面部である。
【００２０】
上記の同軸コネクタでは、第１の回転抑制部および第２の回転抑制部が簡便な形態でありながら、ソケット部と絶縁部材との間の相対的な回転が抑制され、前述の効果が得られる。
【００２１】
この発明に係る同軸コネクタは、以下の特徴を備えることも好ましい。すなわち、第１の回転抑制部は、ソケット部の他方端部の内周面に設けられた凹部である。第２の回転抑制部は、絶縁部材がソケット部と中央導体との間に配置されたときに、絶縁部材の外周面の、第１の回転抑制部に当接する位置に設けられた凸部である。
【００２２】
上記の同軸コネクタでは、凹部である第１の回転抑制部と凸部である第２の回転抑制部とが篏合しているため、ソケット部と絶縁部材との間の相対的な回転が確実に抑制され、前述の効果が確実に得られる。
【００２３】
この発明に係る同軸コネクタは、以下の特徴を備えることも好ましい。すなわち、第１の回転抑制部は、ソケット部の他方端部の内周面に設けられた凸部である。第２の回転抑制部は、絶縁部材がソケット部と中央導体との間に配置されたときに、絶縁部材の外周面の、第１の回転抑制部に当接する位置に設けられた凹部である。
【００２４】
上記の同軸コネクタでは、凸部である第１の回転抑制部と凹部である第２の回転抑制部とが篏合しているため、ソケット部と絶縁部材との間の相対的な回転が確実に抑制され、前述の効果が確実に得られる。
【００２５】
この発明に係る同軸コネクタは、以下の特徴を備えることも好ましい。すなわち、絶縁部材は、ソケット部の他方端面の少なくとも一部を被覆する被覆部を有している。第１の回転抑制部は、ソケット部の他方端面に設けられた凹部である。第２の回転抑制部は、絶縁部材がソケット部と中央導体との間に配置されたときに、絶縁部材の被覆部の、第１の回転抑制部に当接する位置に設けられた凸部である。
【００２６】
上記の同軸コネクタでは、凹部である第１の回転抑制部と凸部である第２の回転抑制部とが篏合しているため、ソケット部と絶縁部材との間の相対的な回転が確実に抑制され、前述の効果が確実に得られる。なお、第１の回転抑制部は、ソケット部の他方端面からソケット部の内周面に抜ける貫通孔であってもよい。
【００２７】
この発明に係る同軸コネクタは、以下の特徴を備えることも好ましい。すなわち、絶縁部材は、ソケット部の他方端面の少なくとも一部を被覆する被覆部を有している。第１の回転抑制部は、ソケット部の他方端面に設けられた凸部である。第２の回転抑制部は、絶縁部材がソケット部と中央導体との間に配置されたときに、絶縁部材の被覆部の、第１の回転抑制部に当接する位置に設けられた凹部である。
【００２８】
上記の同軸コネクタでは、凸部である第１の回転抑制部と凹部である第２の回転抑制部とが篏合しているため、ソケット部と絶縁部材との間の相対的な回転が確実に抑制され、前述の効果が確実に得られる。なお、第１の回転抑制部は、被覆部のソケット部の他方端面に接している面から被覆部の外表面に抜ける貫通孔であってもよい。
【発明の効果】
【００２９】
この発明に係る同軸コネクタは、中央導体がソケット部により十分シールドされているため、外部からのノイズの影響を受け難い。また、この発明に係る同軸コネクタは、ソケット部と絶縁部材との間の相対的な回転が抑制されているため、電子機器の回路基板への接続時における接続不良の発生が抑制されている。
【図面の簡単な説明】
【００３０】
【図１】この発明に係る同軸コネクタの実施形態である同軸コネクタ１００の分解斜視図である。
【図２】同軸コネクタ１００の透視斜視図である。
【図３】同軸コネクタ１００における外部導体１０の第１ないし第４の変形例を示した斜視図である。
【図４】背景技術の同軸コネクタ２００の分解斜視図および同軸コネクタ２００の斜視図である。
【発明を実施するための形態】
【００３１】
以下にこの発明の実施形態を示して、この発明の特徴とするところをさらに詳しく説明する。この発明は、例えば携帯電子機器の製品検査のための電気的特性測定に用いられる同軸コネクタ（レセプタクル）に適用されるが、それ以外の同軸コネクタにも適用可能である。
【００３２】
−同軸コネクタの実施形態−
この発明に係る同軸コネクタの実施形態である同軸コネクタ１００の構造について、図１および図２を用いて説明する。
【００３３】
なお、各図面は模式図であり、実際の製品の寸法は必ずしも反映されていない。また、製造工程上で発生する各構成要素の形状のばらつきなども、各図面に必ずしも反映されていない。すなわち、以後、この明細書中で説明のために用いられる図面は、たとえ実際の製品と異なる部分があったとしても、本質的な面で実際の製品を表すものと言うことができる。
【００３４】
図１は、同軸コネクタ１００の組み立て前の各構成要素を示した分解斜視図である。図２は、組み立て後の同軸コネクタ１００の、絶縁部材３０を透視して外部導体１０と中央導体２０とを位置関係を表した透視斜視図である。外部導体１０、中央導体２０および絶縁部材３０については、以下で説明する。
【００３５】
同軸コネクタ１００は、不図示の相手側同軸コネクタ（プラグ）が挿抜自在に構成されているレセプタクルであって、外部導体１０と、中央導体２０と、絶縁部材３０とを備えている。外部導体１０は、シールド部材である円筒状のソケット部１１と、ソケット部１１の側面の一方端面に接している領域から延在している、接地電極である鍔部１２とを有している。なお、鍔部１２は、一方端面から、または一方端面から距離を置いて隣接している領域から延在していてもよい。外部導体１０は、例えばＣｕまたはＣｕ合金などのような金属材料を用いて形成されている。
【００３６】
ソケット部１１は、第１の回転抑制部１１ａを有している。同軸コネクタ１００において、第１の回転抑制部１１ａは、他方端部の内周面の４箇所に設けられた平面部である。なお、第１の回転抑制部１１ａの数および形状は、上記に限られない（後述の外部導体１０の変形例参照）。また、同軸コネクタ１００において、ソケット部１１には、不図示のプラグに設けられた爪部と係合できるような形状に形成された切り欠き１１ｂが４つ設けられている。ただし、この切り欠き１１ｂは、この発明における必須の構成要素ではない。
【００３７】
中央導体２０は、内部に後述する絶縁部材３０の一部が充填可能となるように形成されている円筒状の中央部２１と、中央部２１の一方端部から延在している、信号電極であるリード部２２とを有している。中央導体２０は、円柱状であってもよい。
【００３８】
また、中央導体２０は、ソケット部１１の中心軸方向から見たときに、全体がソケット部１１の一方端部の内側に配置されている。すなわち、中央導体２０がソケット部１１により十分シールドされている。したがって、同軸コネクタ１００は、外部からのノイズの影響を受け難い。中央導体２０は、例えばＣｕまたはＣｕ合金などのような金属材料を用いて形成されている。
【００３９】
絶縁部材３０は、外部導体１０と中央導体２０とが電気的に絶縁されるようにソケット部１１と中央導体２０との間に配置されている。また、絶縁部材３０は、中央導体２０の中央部２１の他方端部が露出するように中央部２１が挿通された貫通孔３０ａを有している。同軸コネクタ１００において、貫通孔３０ａに内部には、前述したように、円筒状の中央部２１の内部に充填され得る円柱状の部材が配置されている。ただし、この円柱状の部材は、この発明における必須の構成要素ではない。
【００４０】
また、同軸コネクタ１００において、絶縁部材３０は、中央導体２０のリード部２２が収容可能となるように形成されている切り欠き３０ｂを有している。ただし、この切り欠き３０ｂは、この発明における必須の構成要素ではない。
【００４１】
絶縁部材３０は、第２の回転抑制部３０ｃを有している。同軸コネクタ１００において、第２の回転抑制部３０ｃは、絶縁部材３０がソケット部１１と中央導体２０との間に配置されたときに、絶縁部材３０の外周面の、第１の回転抑制部１１ａに当接する３箇所に設けられた平面部である。なお、第２の回転抑制部１３０ｃの数および形状は、上記に限られない。
【００４２】
また、同軸コネクタ１００において、絶縁部材３０には、不図示のプラグの外部導体と係合できるような形状に形成された突起部３０ｄが４つ設けられている。ただし、この突起部３０ｄは、この発明における必須の構成要素ではない。絶縁部材３０は、例えばポリプロピレン、ナイロン、またはゴムなどのような絶縁性の樹脂材料を用いて形成されている。
【００４３】
同軸コネクタ１００において、中央導体２０と絶縁部材３０とは、いわゆるインサートモールドにより、リード部２２が切り欠き３０ｂの内部に収容された配置となるように一体成形される。すなわち、中央導体２０は、絶縁部材３０に固定されている。
【００４４】
上記のように、同軸コネクタ１００では、平面状の第１の回転抑制部１１ａと、同じく平面状の第２の回転抑制部３０ｃとが密着して当接している。そのため、ソケット部１１と、中央導体２０が固定されている絶縁部材３０との間の相対的な回転が抑制されている。
【００４５】
すなわち、接地電極である鍔部１２と信号電極であるリード部２２との相対的な位置関係が、設計時のものからずれることがない。したがって、同軸コネクタ１００では、第１の回転抑制部１１ａおよび第２の回転抑制部３０ｃが簡便な形態でありながら、電子機器の回路基板への接続時における接続不良の発生が抑制されている。
【００４６】
−外部導体の第１ないし第４の変形例−
図３（Ａ）ないし（Ｄ）は、同軸コネクタ１００における外部導体１０の第１ないし第４の変形例である外部導体１０Ａないし１０Ｄを示した斜視図である。外部導体１０Ａないし１０Ｄは、それぞれ第１の回転抑制部１１ａの形態が前述した外部導体１０と異なっている。それ以外の構成要素については、外部導体１０と同様であるため、ここではそれらについてのさらなる説明を省略する。
【００４７】
また、絶縁部材３０の第２の回転抑制部３０ｃの形状は、第１の回転抑制部１１ａの形状に対応したものとなっている。そのため、絶縁部材３０の図示は省略し、外部導体１０Ａないし１０Ｄの形状のみを説明する。
【００４８】
図３（Ａ）は、第１の変形例である外部導体１０Ａの斜視図である。外部導体１０Ａにおいて、第１の回転抑制部１１ａは、ソケット部１１の他方端部の内周面に設けられた凹部である。この場合、不図示の第２の回転抑制部３０ｃは、絶縁部材３０がソケット部１１と中央導体２０との間に配置されたときに、絶縁部材３０の外周面の、第１の回転抑制部１１ａに当接する位置に設けられた凸部となる。
【００４９】
なお、外部導体１０Ａには、単純な矩形状の凹部である第１の回転抑制部１１ａが２つ設けられているが、凹部の数および形状はこれに限られない。
【００５０】
外部導体１０Ａを構成要素とする同軸コネクタ１００では、凹部である第１の回転抑制部１１ａと凸部である第２の回転抑制部３０ｃとが篏合することで、ソケット部１１に対して絶縁部材３０が固定されている。そのため、ソケット部１１と絶縁部材３０との間の相対的な回転が確実に抑制され、前述の効果が確実に得られる。
【００５１】
図３（Ｂ）は、第２の変形例である外部導体１０Ｂの斜視図である。外部導体１０Ｂにおいて、第１の回転抑制部１１ａは、ソケット部１１の他方端部の内周面に設けられた凸部である。この場合、不図示の第２の回転抑制部３０ｃは、絶縁部材３０がソケット部１１と中央導体２０との間に配置されたときに、絶縁部材３０の外周面の、第１の回転抑制部１１ａに当接する位置に設けられた凹部となる。
【００５２】
なお、外部導体１０Ｂには、単純な矩形状の凸部である第１の回転抑制部１１ａが２つ設けられているが、凸部の数および形状はこれに限られない。
【００５３】
外部導体１０Ｂを構成要素とする同軸コネクタ１００では、凸部である第１の回転抑制部１１ａと凹部である第２の回転抑制部３０ｃとが篏合することで、ソケット部１１に対して絶縁部材３０が固定されている。そのため、ソケット部１１と絶縁部材３０との間の相対的な回転が確実に抑制され、前述の効果が確実に得られる。
【００５４】
図３（Ｃ）は、第３の変形例である外部導体１０Ｃの斜視図である。外部導体１０Ｃにおいて、第１の回転抑制部１１ａは、ソケット部１１の他方端面に設けられた凹部である。この場合、不図示の絶縁部材３０は、ソケット部１１の他方端面の少なくとも一部を被覆する被覆部を有している。そして、不図示の第２の回転抑制部３０ｃは、絶縁部材３０がソケット部１１と中央導体２０との間に配置されたときに、絶縁部材３０の上記の被覆部の、第１の回転抑制部１１ａに当接する位置に設けられた凸部となる。
【００５５】
なお、外部導体１０Ｃには、単純な円柱状の凹部である第１の回転抑制部１１ａが４つ設けられているが、凹部の数および形状はこれに限られない。
【００５６】
外部導体１０Ｃを構成要素とする同軸コネクタ１００では、凹部である第１の回転抑制部１１ａと凸部である第２の回転抑制部３０ｃとが篏合することで、ソケット部１１に対して絶縁部材３０が固定されている。そのため、ソケット部１１と絶縁部材３０との間の相対的な回転が確実に抑制され、前述の効果が確実に得られる。
【００５７】
図３（Ｄ）は、第４の変形例である外部導体１０Ｄの斜視図である。外部導体１０Ｄにおいて、第１の回転抑制部１１ａは、ソケット部１１の他方端面に設けられた凸部である。この場合、不図示の絶縁部材３０は、ソケット部１１の他方端面の少なくとも一部を被覆する被覆部を有している。そして、不図示の第２の回転抑制部３０ｃは、絶縁部材３０がソケット部１１と中央導体２０との間に配置されたときに、絶縁部材３０の上記の被覆部の、第１の回転抑制部１１ａに当接する位置に設けられた凹部となる。
【００５８】
なお、外部導体１０Ｄには、単純な円柱状の凸部である第１の回転抑制部１１ａが４つ設けられているが、凸部の数および形状はこれに限られない。
【００５９】
外部導体１０Ｄを構成要素とする同軸コネクタ１００では、凸部である第１の回転抑制部１１ａと凹部である第２の回転抑制部３０ｃとが篏合することで、ソケット部１１に対して絶縁部材３０が固定されている。そのため、ソケット部１１と絶縁部材３０との間の相対的な回転が確実に抑制され、前述の効果が確実に得られる。
【００６０】
なお、この明細書に記載の実施形態は、例示的なものであって、この発明は上記の実施形態に限定されるものではなく、この発明の範囲内において、種々の応用、変形を加えることができる。
【符号の説明】
【００６１】
１００    同軸コネクタ（レセプタクル）
１０    外部導体
１１    ソケット部
１１ａ    第１の回転抑制部
１１ｂ    切り欠き
１２    鍔部
２０    中央導体
２１    中央部
２２    リード部
３０    絶縁部材
３０ａ    貫通孔
３０ｂ    切り欠き
３０ｃ    第２の回転抑制部
３０ｄ    突起部
【図１】
2018170177.tif 000003
【図２】
2018170177.tif 000004
【図３】
2018170177.tif 000005
【図４】
2018170177.tif 000006